(57)【要約】      （修正有）【課題】取り付け時に利便性と堅固性を兼ねる照明具組立て構造を提供する。【解決手段】照明具本体１及び固定台２を備える。照明具本体１上には固定サポートフレーム１１を設置し、固定サポートフレーム１１には軸線Ｌを定義し、固定サポートフレーム１１は軸線Ｌを中心として、少なくとも円弧孔１１１及び欠口１１２を環状に設置し、固定サポートフレーム１１上の円弧孔１１１に対応する位置には第一結合部品１２を提供する。固定台２上には少なくとも１個の第二結合部品２３及び複数の係合リブ片２４を環状に設置し、第二結合部品２３は円弧孔１１１に対応し、係合リブ片２４は欠口１１２に対応し、照明具本体１の欠口１１２を通過する。固定台２を軸線Ｌを中心として回転させると、係合リブ片２４は固定サポートフレーム１１に嵌合し、第二結合部品２３は第一結合部品１２に組合わせて接続し、固定サポートフレーム１１を固定する。【選択図】図１
0003185611.tif 000002
【実用新案登録請求の範囲】
【請求項１】
照明具本体、固定台を備える、照明具組立て構造であって、
前記照明具本体上には、固定サポートフレームを設置し、前記固定サポートフレームは、前記照明具本体から離れる方向へと延伸して設置し、前記固定サポートフレーム上には、前記固定サポートフレームの延伸方向に沿って、軸線を定義し、前記固定サポートフレームは、軸線を中心として、少なくとも１個の円弧孔と複数の欠口を環状に設置し、前記固定サポートフレーム上には、前記円弧孔位置に対応して、第一結合部品を提供し、
前記固定台上には、少なくとも１個の第二結合部品及び複数の係合リブ片を環状に設置し、前記第二結合部品は、前記円弧孔に対応し、前記円弧孔を貫通し、前記係合リブ片は、前記欠口に対応し、前記照明具本体の欠口を通過し、
これにより、前記固定台を軸線を中心として回転させると、前記係合リブ片は、前記固定サポートフレームに嵌合し、前記第二結合部品は、前記第一結合部品に組合わせて接続し、こうして前記固定サポートフレームを固定することを特徴とする照明具組立て構造。
【請求項２】
前記照明具本体の第一結合部品は、ナットで、
前記固定台はさらに、底面を備え、
前記固定台の第二結合部品は、ボルトで、前記底面上に位置し、前記第一結合部品に螺合して設置することを特徴とする請求項１に記載の照明具組立て構造。
【請求項３】
前記照明具本体の第一結合部品は、ボルトで、前記固定台の第二結合部品は、ナットで、
前記第一結合部品は、前記第二結合部品に螺合して設置することを特徴とする請求項１に記載の照明具組立て構造。
【請求項４】
前記照明具本体には、電源コードを接続し、さらに前記固定サポートフレーム上には、穿孔を設置し、前記固定台には、前記穿孔に対応する貫通孔を設置し、
前記穿孔及び前記貫通孔に、前記電源コードを通して設置することを特徴とする請求項１に記載の照明具組立て構造。
【請求項５】
前記固定台上には、複数の固定孔を設置し、
前記固定孔は、組合せ接続部品を提供することを特徴とする請求項１に記載の照明具組立て構造。
【請求項６】
前記固定台はさらに、頂点面を備え、
前記頂点面には、複数の脚台を設置し、前記固定孔は、前記脚台上に位置することを特徴とする請求項５に記載の照明具組立て構造。
【請求項７】
前記組合せ接続部品には、緩み防止ワッシャ及びワッシャを対応させることを特徴とする請求項５に記載の照明具組立て構造。
【考案の詳細な説明】
【技術分野】
【０００１】
本考案は照明具組立て構造に関し、特に照明具本体を取り付ける際、固定台の係合リブ片により第一段階の定位を形成し、これにより続く組立て作業の便を図り、さらに第一、第二結合部品の組合せにより、照明具は堅固な定位を形成し、照明具本体は工業照明、広場照明、大規模小売店倉庫照明として主に応用するシーリングライト照明具組立て構造に関する。
【背景技術】
【０００２】
一般の照明具（シーリングライト）を取り付ける際には、ほとんどが天井或いは壁面に予め設置する固定台に組み付け、これにより、取り付け施工の利便性及び安全性を高めている。
【０００３】
本領域における従来の技術である特許文献１「照明具固定構造」は、ランプソケット、脚台を備える。ランプソケット表面には、少なくとも１個の脚棒を設置する。各脚棒の棒体上には、少なくとも１個の頚縮部を形成する。脚台により、照明具全体に予め取り付けされた組立て主体上に設置することができる。各脚台は、側面に開口を設置する。開口底部には、槽孔を設置する。槽孔の幅には、脚棒の頚縮部をちょうど嵌入することができる。これにより、脚棒を槽孔から抜き差しする動作により、照明具全体を組立て主体から取り外すこともできる。こうして、照明具のメンテナンス、交換作業の利便性を向上させるという目的を達成することができる。
【０００４】
しかし、上記した特許文献１には、技術的な問題点が存在する。
ランプソケットは、脚棒によってのみ、脚台の槽孔に挿入するため、確実な定位が形成されていない。そのため、ランプソケットに緩み、ぐらつきが生じた時には、ランプソケットの脚棒は開口より脚台から簡単に離脱し、ランプソケットが落下してしまい、安全において危険がある。
本考案は、従来の照明具組立て構造の上記した欠点に鑑み、取り付けにおいて便利かつ簡単で、壁面に確実に固定できる構造の開発を目指してなされたものである。
【先行技術文献】
【特許文献】
【０００５】
【特許文献１】台湾特許第M381024号
【考案の概要】
【考案が解決しようとする課題】
【０００６】
本考案が解決しようとする課題は、取り付けにおいて確実に定位を形成することができず、ランプソケットの落下を招き易いという従来の照明具の欠点を解決でき、照明具の取り付け時に、利便性と堅固性を兼ね備える照明具組立て構造を提供することである。
【課題を解決するための手段】
【０００７】
上記課題を解決するため、本考案は下記の照明具組立て構造を提供する。
照明具組立て構造は、照明具本体、固定台を備え、
該照明具本体上には、固定サポートフレームを設置し、該固定サポートフレームは、該照明具本体から離れる方向へと延伸して設置し、該固定サポートフレーム上には、該固定サポートフレームの延伸方向に沿って、軸線を定義し、該固定サポートフレームは、軸線を中心として、少なくとも１個の円弧孔と複数の欠口を環状に設置し、該固定サポートフレーム上には、該円弧孔位置に対応して、第一結合部品を提供し、
該固定台上には、少なくとも１個の第二結合部品及び複数の係合リブ片を環状に設置し、該第二結合部品は、該円弧孔に対応し、該円弧孔を貫通し、該係合リブ片は、該欠口に対応し、該照明具本体の欠口を通過し、これにより該固定台を、軸線を中心として回転させると、該係合リブ片は、該固定サポートフレームに嵌合し、該第二結合部品は、該第一結合部品に組合わせて接続し、こうして該固定サポートフレームを固定し、
さらに、該照明具本体の第一結合部品は、ナットで、該固定台はさらに、底面を備え、
該固定台の第二結合部品は、ボルトで、該底面上に位置し、該第一結合部品に螺合して設置し、
さらに、該照明具本体の第一結合部品は、ボルトで、該固定台の第二結合部品は、ナットで、該第一結合部品は、該第二結合部品に螺合して設置し、
さらに、該照明具本体には、電源コードを接続し、さらに、該固定サポートフレーム上には、穿孔を設置し、該固定台には、該穿孔に対応する貫通孔を設置し、該穿孔及び該貫通孔に、該電源コードを通して設置し、
さらに、該固定台上には、複数の固定孔を設置し、該固定孔は、組合せ接続部品を提供し、
さらに、該固定台はさらに、頂点面を備え、該頂点面には、複数の脚台を設置し、該固定孔は、該脚台上に位置し、
さらに、該組合せ接続部品には、緩み防止ワッシャ及びワッシャを対応させる。
【考案の効果】
【０００８】
本考案の照明具組立て構造は、固定台設置する第二結合部品及び係合リブ片により、照明具本体を取り付ける時、固定台の係合リブ片により第一段階の定位を形成し、第二結合部品は確実に円弧孔に位置を合わせることができるため、続く組立て作業の便を図り、照明具組立ての利便性を向上させるという目的を達成することができ、さらに第一、第二結合部品の組合せ設置により、照明具は堅固な定位を形成し、照明具におけるぐらつきの発生を防止でき、照明具組立てにおける便利性及び堅固性という機能を兼ね備えることができる。
【図面の簡単な説明】
【０００９】
【図１】本考案の立体分解模式図である。
【図２】本考案の組立て固定台の分解模式図である。
【図３】本考案照明具と固定台の位置が相互に対応する状態の模式図である。
【図４】本考案照明具が回され定位される状態の模式図である。
【図５】本考案において組立て完成状態を示す立体模式図である。
【図６】本考案において組立て完成状態を示す平面模式図である。
【図７】本考案別種の実施例の立体分解図である。
【考案を実施するための形態】
【００１０】
以下に図面を参照しながら本考案を実施するための最良の形態について詳述する。
【００１１】
図１、２に示すように、本考案実施例の照明具組立て構造は、照明具本体1、固定台2を備える。
【００１２】
照明具本体1上には、固定サポートフレーム11を設置する。固定サポートフレーム11は、照明具本体1から離れる方向へと延伸して設置する。固定サポートフレーム11上には、固定サポートフレーム11の延伸方向に沿って、軸線Lを定義する。軸線Lを中心とし、少なくとも１個の円弧孔111及び複数の欠口112を環状に設置する。円弧孔111には、第一結合部品12を提供する。本実施例中では、第一結合部品12は、ナットであるが、これに限定するものではない。さらに、固定サポートフレーム11上には、穿孔13を設置する。別に、照明具本体1上には、電源コード14を接続する。電源コード14は、穿孔13を通過する。
【００１３】
固定台2は、頂点面21及び底面22を備える。頂点面21上には、複数の脚台211を設置する。脚台211上には、固定孔212を設置する。固定台2の固定孔212位置には、組合せ接続部品213を提供する。底面22上には、第二結合部品23及び複数の係合リブ片24を環状に設置する。第二結合部品23は、円弧孔111に対応し、円弧孔111を貫通する。係合リブ片24は、欠口112に対応する。本実施例の第二結合部品23は、ボルトであるが、これに限定するものではない。第二結合部品23は、照明具本体1の第一結合部品12に組合わせて接続する。係合リブ片24は、照明具本体1の欠口112に対応する。別に、固定台2上には、電源コード14を通して設置する貫通孔25を設置する。
【００１４】
図１、２に示すように、本考案構造を使用する際には、先ず、固定台2を、予定固定面A（天井、壁面など）に設置する。次に、組合せ接続部品213により、緩み防止ワッシャ214及びワッシャ215を合わせて、固定台2を固定面Aに固定する。
【００１５】
続いて、固定サポートフレーム11の欠口112の位置を、固定台2の係合リブ片24に対応させ、さらに固定サポートフレーム11を、固定台2（図３参照)に接触させる。次に、照明具本体1を回せば、固定台2を、係合リブ片24と固定サポートフレーム11により相互に係合させ、第一段階の定位を形成することができる（図４参照)。固定台2の第二結合部品23は、照明具本体1の円弧孔111に位置を合わせて貫通する。次に、照明具本体1の第一結合部品12を、固定台2の第二結合部品23に結合する。これにより、照明具本体1の組合せ定位を完成する（図５、６参照)。
【００１６】
照明具本体1の電源コード14は、順番に固定サポートフレーム11の穿孔13及び固定台2の貫通孔25を通過する。これにより、電源コード14の散乱を防止することができる。
【００１７】
照明具の固定台2には、第二結合部品23及び係合リブ片24を設置するため、照明具本体1は取り付け時に、固定台2の係合リブ片24により、第一段階の定位を形成し、第二結合部品23は、確実に円弧孔111に位置を合わせることができる。こうして、続く組立て作業の便を図り、照明具組立ての利便性を向上させるという目的を達成することができる。さらに、第一、第二結合部品1223の堅固な固定により、照明具本体1の固定サポートフレーム11は、固定台2に緊密に接触し、堅固な定位を形成することができる。こうして、照明具本体1のぐらつきを回避でき、組立ての便利性と定位の堅固性という二つの機能を兼ね備えることができる。
【００１８】
図７に示すように、本考案の別種の実施例図では、照明具本体1及び固定台2の第一、第二結合部品12、23は、それぞれボルト及びナット、或いはそれぞれオス/メスバックルの組立て方式に置換することができ、これらによっても堅固な組立てを構成するという目的を確実に達成することができる。
【００１９】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２０】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２１】
1：照明具本体
11：固定サポートフレーム
111：円弧孔
112：欠口
12：第一結合部品
13：穿孔
14：電源コード
2：固定台
21：頂点面
211：脚台
212：固定孔
213：組合せ接続部品
214：緩み防止ワッシャ
215：ワッシャ
22：底面
23：第二結合部品
24：係合リブ片
25：貫通孔
A：固定面
L：軸線
【図１】
0003185611.tif 000003
【図２】
0003185611.tif 000004
【図３】
0003185611.tif 000005
【図４】
0003185611.tif 000006
【図５】
0003185611.tif 000007
【図６】
0003185611.tif 000008
【図７】
0003185611.tif 000009